(57)【要約】【課題】本体枠に対する遊技盤の組立作業性を向上させると共に、遊技領域内に対して不正行為が行われるのを防止することができる遊技機を提供する。【解決手段】遊技盤装着枠１２を有した本体枠３と、遊技盤装着枠１２内に前側から嵌め込まれ遊技領域３７を有した遊技盤５と、遊技領域３７が前側から視認可能とされ本体枠３の一辺側で一対の前面枠ヒンジ機構３６により開閉可能とされた前面枠４とを備えたパチンコ機１であって、遊技盤５に、一対の前面枠ヒンジ機構３６の間に対応する位置に配置され前面から前側に所定量突出する弾性変形可能なガイド部１５２を有したガイド部材１５０を備える。【選択図】図３
2008073340.tif 000002
【特許請求の範囲】
【請求項１】
前側に開口部を有した正面視略矩形状の本体枠と、
該本体枠の前記開口部内に前側から嵌め込まれ、遊技者の操作によって所定の遊技が行われる遊技領域を有した遊技盤と、
該遊技盤の前記遊技領域が前側から視認可能とされると共に、前記本体枠の前側且つ一辺側で所定距離離反して同軸状に配置された一対のヒンジ機構により前記本体枠の前記開口部を開閉可能とされた前面部材と
を具備する遊技機であって、
前記遊技盤は、
前記ヒンジ機構によって前記本体枠に対して前記前面部材がヒンジ回転する側に配置される端部に、一対の前記ヒンジ機構の間に対応する位置に配置され前記遊技盤の前端面から前側に所定量突出する弾性変形可能なガイド部を更に有していることを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチンコ機等の遊技機には、遊技者の操作により遊技媒体（例えば、遊技球）が打ち込まれる遊技領域を有した遊技盤が備えられており、遊技盤の遊技領域内には、多数の障害釘が所定のゲージ配列をなして設けられている他、遊技領域における上下方向の途中の適宜位置に風車が設けられている。また、遊技領域の適宜位置には、入球確率が変化するように左右に拡開する開閉片（所謂チューリップ）を備えた入賞口や、入賞口の開閉片を拡開させる始動口が設けられている。
【０００３】
この種、従来の遊技機は、前面に開口部を有した正面視略矩形状の本体枠と、本体枠の開口部内に前側から嵌め込まれる遊技盤と、本体枠に嵌め込まれた遊技盤が前側から視認でき本体枠の一方の側辺（例えば、左側側辺）にヒンジ回転可能に保持され本体枠の開口部を閉鎖可能な前面部材とを備えている（例えば、特許文献１）。そして、前面部材を開閉させることで、本体枠内の遊技盤を交換したり、遊技領域内で発生した球詰まり等を解消させたりすることができるようになっている。
【０００４】
【特許文献１】特開２００５−３０５１４５号公報
【発明の開示】
【発明が解決しようとする課題】
【０００５】
ところで、従来の遊技機では、遊技盤を本体枠から脱着する際、本体枠の側辺に前面部材がヒンジ固定されているので、ヒンジ側では前面部材が邪魔になり、本体枠の開口部内に対して遊技盤を前側から真直ぐ嵌め込むことができず、本体枠に対して遊技盤を斜めから挿入して開口部内に嵌め込むようにしていた。そのため、遊技盤の交換時等において、遊技盤を本体枠に嵌め込む際に、本体枠に対する遊技盤の位置決めがし難く、作業性の悪いものとなっていた。また、遊技盤を嵌め込む際に、遊技盤のヒンジと近接する側が本体枠や前面部材と当接し、遊技盤や前面部材等が破損する恐れがあった。
【０００６】
一方、従来の遊技機では、前面部材をヒンジ回転させるヒンジ機構が、前面部材の上下端部に同軸状に配置された一対のヒンジ機構からなっており、一対のヒンジ機構の間では、本体枠に対して前面部材が支持されていない状態となっている。そのため、一対のヒンジ機構の間において、本体枠と前面部材との間にバールのような工具を差込んで抉ることで、前面部材が撓んで本体枠と前面部材との間に隙間が形成され、その隙間から遊技領域内に金属等からなる線材を差込んで、遊技盤面に打設された障害釘を曲げたり、チャッカーや入賞口内のセンサを誤作動させたりする不正行為が行われる問題がある。
【０００７】
そこで、本発明は上記の実状に鑑み、本体枠に対する遊技盤の組立作業性を向上させると共に、遊技領域内に対して不正行為が行われるのを防止することができる遊技機の提供を課題とするものである。
【課題を解決するための手段】
【０００８】
手段１：遊技機において、
「前側に開口部を有した正面視略矩形状の本体枠と、
該本体枠の前記開口部内に前側から嵌め込まれ、遊技者の操作によって所定の遊技が行われる遊技領域を有した遊技盤と、
該遊技盤の前記遊技領域が前側から視認可能とされると共に、前記本体枠の前側且つ一辺側で所定距離離反して同軸状に配置された一対のヒンジ機構により前記本体枠の前記開口部を開閉可能とされた前面部材と
を具備する遊技機であって、
前記遊技盤は、
前記ヒンジ機構によって前記本体枠に対して前記前面部材がヒンジ回転する側に配置される端部に、一対の前記ヒンジ機構の間に対応する位置に配置され前記遊技盤の前端面から前側に所定量突出する弾性変形可能なガイド部を更に有している」ものであることを特徴とする。
【０００９】
ここで、「ガイド部」としては、弾性変形可能なものであれば良く、例えば、「軟質樹脂」、「バネ鋼」、「薄肉硬質樹脂」、「ゴム」、「発泡樹脂」、等が挙げられる。また、ガイド部を、「遊技盤と一体成形されたもの」、「ガイド部材のように別部材とされ、遊技盤に固定されるもの」、等としても良い。
【００１０】
また、「前側に所定量突出する」における「所定量」としては、「３ｍｍ〜２０ｍｍの間」、望ましくは、「５ｍｍ〜１５ｍｍの間」、更に望ましくは、「７ｍｍ〜１２ｍｍの間」、を挙げることができ。なお、少なくとも、本体枠に対して前面部材を閉めた時にガイド部の先端が前面部材の後面と当接可能な突出量が必要であり、これよりも突出量が少ないと、不正行為によって本体枠と前面部材との間に形成された隙間を充分に閉鎖することができず不正行為を防止することができない恐れがあるためである。また、前面部材を閉める際にガイド部が弾性変形することとなるが、これよりも突出量が多くなると、ガイド部が弾性変形しきれなくなって、前面部材を閉め難くなったり、閉まらなくなったりする恐れがあるからである。
【００１１】
更に、「遊技盤」としては、「表面に障害釘が打設される遊技盤ベースと、遊技盤ベースの前側に配置され遊技領域の外周を区画可能な前構成部材とを主に備えたもの」、「遊技盤ベースと前構成部材とが一体に形成されたもの」、等が挙げられる。なお、遊技盤を遊技盤ベースと前構成部材とで構成するようにした場合、一般に遊技盤ベースの外周端面は面粗度が良くなく、ガイド部（後述のガイド部材）を取付けるためには二次加工が必要となるが、前構成部材は成形品となっており二次加工しなくてもガイド部を取付けることが可能であり、遊技盤に対する加工が増加するのを抑制することができる。
【００１２】
手段１の構成によると、開口部を有した本体枠と、本体枠の開口部内に前側から嵌め込まれ遊技領域を有した遊技盤と、遊技領域が前側から視認可能とされ本体枠の一辺側で一対のヒンジ機構により開口部を開閉可能とされた前面部材とを備えた遊技機において、遊技盤に、一対のヒンジ機構の間に対応する位置に配置され前端面から前側に所定量突出する弾性変形可能なガイド部を更に有したものである。
【００１３】
これにより、遊技盤を本体枠の開口部内に嵌め込む際に、その挿入先端となるヒンジ機構と近接する側の辺にガイド部が備えられているので、ガイド部に案内させて本体枠に対する遊技盤の位置決めを容易に行うことができ、遊技盤の嵌め込み作業性を良くして、組立作業性を向上させることができる。
【００１４】
また、ガイド部を遊技盤面から突出させると共に弾性変形可能としており、本体枠に遊技盤を嵌め込む際に、遊技盤が前面部材と当接しても、まず初めにガイド部が当接してガイド部が弾性変形するので、ガイド部により当接による衝撃を緩和させることができ、遊技盤の嵌め込み作業時に、遊技盤や前面部材が破損するのを防止することができる。従って、遊技盤の嵌め込み作業時において、必要以上に慎重に作業しなくても良く、作業者にかかるプレッシャーを抑制して、組立作業性を向上させることができる。
【００１５】
更に、遊技盤面から所定量突出するガイド部を弾性変形可能としているので、前面部材を閉める際に、前面部材の後面にガイド部が当接しても、ガイド部が弾性変形して前面部材を閉めることができると共に、一対のヒンジ機構の間にバール等の工具を差込んで本体枠と前面部材との間に隙間を形成させようとしても、ガイド部が弾性復元してその隙間を閉鎖し続けることができ、隙間を介して不正行為が行われるのを防止することができる。
【００１６】
手段２：手段１の構成において、
「前記ガイド部には、
前側端部から前記遊技領域が配置される側とは反対側へ向かって延びる返し部が形成されている」ものであることを特徴とする。
【００１７】
ところで、不正行為を行うために本体枠と前面部材との間の隙間から挿入された線材が、ガイド部に当接すると、ガイド部の表面を伝ってガイド部の先端へと案内され、ガイド部の先端と前面部材の後面との間に入り込んで、遊技領域内へ侵入して不正行為が行われてしまう恐れがある。
【００１８】
手段２の構成によると、ガイド部の前側端部に、遊技領域が配置される側とは反対側へ向かって延びる返し部を備えるようにしたものである。
【００１９】
これにより、バール等の工具により抉られて本体枠と前面部材との間の隙間から線材が挿入されても、ガイド部先端の返し部により線材が返されて、線材がガイド部と前面部材との間に到達するのを防ぐことができ、線材が遊技領域内へ侵入するのを防止することが可能となって、不正行為が行われるのを防止することができる。
【００２０】
手段３：手段１又は手段２の構成において、
「前記ガイド部は、
前記遊技盤の前面から前側に突出する突出量が、３ｍｍ〜２０ｍｍとされている」ものであることを特徴とする。
【００２１】
手段３の構成によると、遊技盤面から突出するガイド部の突出量を、３ｍｍ〜２０ｍｍの間としたものである。
【００２２】
これにより、本体枠に対して前面部材を閉めた時に、ガイド部の先端が前面部材の後面と当接して弾性変形し、不正行為によって本体枠と前面部材との間に隙間が形成されてもガイド部が弾性復元して隙間を閉鎖することが可能となり、不正行為が行われるのを防止することができると共に、ガイド部によって前面部材が閉まらなくなるのを防止することができる。
【００２３】
手段４：手段１から手段３までの何れか一つの構成において、
「前記ガイド部は、
前記遊技盤の側面に固定されるガイド部材に備えられている」ものであることを特徴とする。
【００２４】
ところで、ガイド部を、遊技盤（例えば、前構成部材）に一体成形するようにした場合、遊技盤を成形する比較的大型の成形型を改造又は新造する必要があると共に、遊技盤面からガイド部が突出しているので既存の生産ラインに流すことができず、遊技機の組立てや製造にかかるコストが増加する問題がある。
【００２５】
手段４の構成によると、遊技盤の側面に固定されるガイド部材にガイド部を備えるようにしたものである。
【００２６】
これにより、ガイド部を遊技盤とは別部材としているので、既存の遊技盤に対してガイド部材を固定するだけで、遊技盤にガイド部を備えることができ、既存の遊技盤（遊技機）にも上述した機能を備えさせて、同様の作用効果を奏させることができる。
【００２７】
また、ガイド部材は、遊技盤よりも小さいので、ガイド部材の成形にかかる成形型が比較的小型のものとなり、遊技機の製造にかかるコストが増加するのを抑制することができる。また、ガイド部材を固定する前工程では遊技盤面からはガイド部が突出しておらず、既存の生産ラインに遊技盤を流すことができ、新たな生産ラインを必要としないので、これによっても、遊技機の製造にかかるコストが増加するのを抑制することができる。
【００２８】
手段５：手段４の構成において、
「前記ガイド部材は、
前記遊技盤の側面に固定する固定部を備えている」ものであることを特徴とする。
【００２９】
ここで、「固定部」としては、「遊技盤の側面と対向する面とされ、その面と側面とを接着手段（例えば、両面テープ、接着剤、等）により接着固定するもの」、「遊技盤の側面に穿設された孔に嵌合する嵌合突起や嵌合爪からなるもの」、等が挙げられる。
【００３０】
手段５の構成によると、ガイド部材に、遊技盤の側面に固定するための固定部を備えるようにしたものである。
【００３１】
これにより、遊技盤とは別部材とされたガイド部材を、固定部を介して遊技盤に固定することができ、遊技盤に上述した機能を有したガイド部を簡単に備えさせて、同様の作用効果を奏した遊技機とすることができる。
【００３２】
なお、固定部として、嵌合突起や嵌合爪とした場合、ワンタッチで遊技盤の側面にガイド部材を固定することができ、組立作業性を向上させることができると共に、遊技盤を分解する際に、容易にガイド部材を取外すことができ、廃棄処分等にかかる手間を簡略化することができる。
【００３３】
手段６：遊技機において、
「前側に開口部を有した正面視略矩形状の本体枠と、
該本体枠の前記開口部内に前側から嵌め込まれ、遊技者の操作によって所定の遊技が行われる遊技領域を有した遊技盤と、
該遊技盤の前記遊技領域が前側から視認可能とされると共に、前記本体枠の前側且つ一辺側で所定距離離反して同軸状に配置された一対のヒンジ機構により前記本体枠の前記開口部を開閉可能とされた前面部材と
を具備する遊技機であって、
前記遊技盤は、
前記ヒンジ機構によって前記本体枠に対して前記前面部材がヒンジ回転する側に配置される側面で一対の前記ヒンジ機構の間に対応した位置における前記遊技盤の側面に固定される固定部と、
該固定部と連続し前記遊技盤の前端面から前側に３ｍｍ〜２０ｍｍの範囲内で突出する弾性変形可能なガイド部と、
該ガイド部の前側端部から前記遊技領域が配置される側とは反対側へ向かって延びる返し部と
を備えたガイド部材を更に有している」ものであることを特徴とする。
【００３４】
手段６の構成によると、前側に開口部を有した本体枠と、開口部内に前側から嵌め込まれ遊技領域を有した遊技盤と、遊技領域が視認可能とされると共に一対のヒンジ機構により本体枠の開口部を開閉可能とされた前面部材とを備えた遊技機であって、遊技盤に、一対のヒンジ機構の間に対応した位置の側端面に固定する固定部と、固定部と連続し遊技盤面から３ｍｍ〜２０ｍｍの範囲内で突出する弾性変形可能なガイド部と、ガイド部の前側端部から遊技領域が配置される側とは反対側へ向かって延びる返し部とを備えたガイド部材を備えるようにしたものである。
【００３５】
これにより、遊技盤を本体枠の開口部内に嵌め込む際に、その挿入先端となるヒンジ機構と近接する側の辺に固定されたガイド部材にガイド部が備えられているので、そのガイド部に案内させて本体枠に対する遊技盤の位置決めを容易に行うことができ、遊技盤の嵌め込み作業性を良くして、組立作業性を向上させることができる。
【００３６】
また、ガイド部材のガイド部を遊技盤面から突出させると共に弾性変形可能としており、本体枠に遊技盤を嵌め込む際に、遊技盤が前面部材と当接しても、まず初めにガイド部が当接してガイド部が弾性変形するので、ガイド部により当接による衝撃を緩和させることができ、遊技盤の嵌め込み作業時に、遊技盤や前面部材が破損するのを防止することができる。従って、遊技盤の嵌め込み作業時において、必要以上に慎重に作業しなくても良く、作業者にかかるプレッシャーを抑制して、組立作業性を向上させることができる。
【００３７】
更に、遊技盤面から所定量突出するガイド部材のガイド部を弾性変形可能としているので、前面部材を閉める際に、前面部材の後面にガイド部が当接しても、ガイド部が弾性変形して前面部材を閉めることができると共に、一対のヒンジ機構の間にバール等の工具を差込んで本体枠と前面部材との間に隙間を形成させようとしても、ガイド部が弾性復元してその隙間を閉鎖し続けることができ、隙間を介して不正行為が行われるのを防止することができる。
【００３８】
また、ガイド部材におけるガイド部の前側端部に、遊技領域が配置される側とは反対側へ向かって延びる返し部を備えているので、バール等の工具により抉られて本体枠と前面部材との間の隙間から線材が挿入されても、ガイド部先端の返し部により線材が返されて、線材がガイド部と前面部材との間に到達するのを防ぐことができ、線材が遊技領域内へ侵入するのを防止することが可能となって、不正行為が行われるのを防止することができる。
【００３９】
更に、ガイド部材におけるガイド部の突出量を、３ｍｍ〜２０ｍｍの間としているので、本体枠に対して前面部材を閉めた時に、ガイド部の先端が前面部材の後面と当接して弾性変形し、不正行為によって本体枠と前面部材との間に隙間が形成されてもガイド部が弾性復元して隙間を閉鎖することが可能となり、不正行為が行われるのを防止することができると共に、ガイド部によって前面部材が閉まらなくなるのを防止することができる。
【００４０】
また、ガイド部材を遊技盤とは別部材としているので、既存の遊技盤に対してガイド部材を固定するだけで、遊技盤にガイド部を備えることができ、既存の遊技盤（遊技機）にも上述した機能を備えさせて、同様の作用効果を奏させることができる。また、ガイド部材は、遊技盤よりも小さいので、ガイド部材の成形にかかる成形型が比較的小型のものとなり、遊技機の製造にかかるコストが増加するのを抑制することができる。また、ガイド部材を固定する前工程では遊技盤面からはガイド部が突出しておらず、既存の生産ラインに遊技盤を流すことができ、新たな生産ラインを必要としないので、これによっても、遊技機の製造にかかるコストが増加するのを抑制することができる。
【００４１】
更に、ガイド部材に、遊技盤の側面に固定するための固定部を備えるようにしているので、遊技盤とは別部材とされたガイド部材を、固定部を介して遊技盤に固定することができ、遊技盤に上述した機能を有したガイド部を簡単に備えさせて、同様の作用効果を奏した遊技機とすることができる。
【００４２】
手段７：手段１から手段６までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００４３】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００４４】
手段７の構成によると、パチンコ機において、上述した手段のいずれかの作用効果を奏することができる。
【００４５】
手段８：手段１から手段６までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００４６】
手段８の構成によると、パチスロ機において、上述した手段のいずれかの作用効果を奏することができる。
【００４７】
手段９：手段１から手段６までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００４８】
手段９の構成によると、パチンコ機とパチスロ機とを融合させてなる遊技機において、上述した手段のいずれかの作用効果を奏することができる。
【発明の効果】
【００４９】
このように、本発明によれば、本体枠に対する遊技盤の組立作業性を向上させると共に、遊技領域内に対して不正行為が行われるのを防止することができる遊技機を提供することができる。
【発明を実施するための最良の形態】
【００５０】
以下、本発明の一実施形態であるパチンコ遊技機（以下、単に「パチンコ機」という）を、図面に基づいて詳細に説明する。
［パチンコ機の全体構成について］  図１乃至図３に基づき説明する。
図１はパチンコ機の前側全体を示す正面図であり、図２はパチンコ機を斜め左前方から示す斜視図である。また、図３は、パチンコ機の外枠の一側に本体枠が開かれ、その本体枠の一側に更に前面枠が開かれた状態を示す斜視図である。なお、図１乃至図３においては遊技領域における装飾部材を省略して示している。
【００５１】
図示するように、パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、本体枠ヒンジ機構７によって本体枠３が前方に開閉可能に装着されている。なお、外枠２は、樹脂やアルミニウム等の軽金属によって形成されていてもよい。
【００５２】
［本体枠の構成について］  図３及び図４に基づき説明する。
図４はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２及び図３参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によって本体枠ヒンジ機構７が構成されている。
【００５３】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００５４】
［前面枠の構成について］  図１乃至図３に基づき説明する。
前枠体１１の前面の片側には、その前枠体１１の上端から下部前面板３０の上縁にわたる部分を覆うようにして、前面枠４が上下に離反して配置された一対の前面枠ヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン６０が設けられている。
【００５５】
［施錠装置の構成について］  図３及び図４に基づき説明する。
前枠体１１の前面枠ヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００５６】
［遊技盤の構成について］  図４乃至図６に基づき説明する。
図５は、遊技盤を左斜め前方から示す斜視図である。図６（Ａ）は遊技盤に備えられるガイド部材を示す斜視図であり、（Ｂ）はガイド部材の平面図である。
【００５７】
遊技盤５は、本体枠３における前枠体１１の後側に設けられた遊技盤装着枠１２に対して、前方から着脱交換可能に装着されるようになっている（図３及び図４参照）。遊技盤５は、遊技盤装着枠１２の前方から嵌込まれる大きさの略四角板状に形成されている。遊技盤５は、木製合板や樹脂板等からなる板状の遊技盤ベース８０と、遊技盤ベース８０の前側に配置され遊技領域３７の外周を区画形成する前構成部材７９とを主に備えている。この前構成部材７９には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。なお、前構成部材７９は、合成樹脂製とされている。
【００５８】
遊技領域３７の中央部には、センター役物１００が配置されている。このセンター役物１００は、遊技領域３７の幅方向のうち３分の２以上の幅を占める大きさである。センター役物１００は枠状とされており、この枠内の後側には演出表示装置１０１が配置されている。
【００５９】
センター役物１００の下方には、遊技領域３７に向けて打ち込まれた遊技球を受入れ可能な第一始動口１０２が配置されている。第一始動口１０２の下方には、一対の可動片１０３を有する第三始動口１０４（第二始動口については後述する）が配置されている。第三始動口１０４は、一対の可動片１０３が閉状態であるときは遊技球を受入れることが不可能または受入れ困難となっており、この一対の可動片１０３が開状態であるときは、第一始動口１０２よりも遊技球の受入れが容易となる。
【００６０】
第一始動口１０２の真上であって且つ枠状のセンター役物１００の下枠部分には開口部１０５が形成されている。また、センター役物１００の上部には、第一開閉装置１１０が設けられている。この第一開閉装置１１０は、遊技球が受入可能な開状態と、遊技球が受入不能な閉状態との間で切替可能となっている。
【００６１】
第三始動口１０４の下方には、第二開閉装置１１１が設けられている。この第二開閉装置１１１は、第一開閉装置１１０と同様に、遊技球が受入可能な開状態と、遊技球が受入不能な閉状態との間で切替可能となっている。
【００６２】
センター役物１００の左側には、遊技球が通過可能なゲート１１２が設けられており、センター役物１００の左下方（第一始動口１０２および第三始動口１０４の左側）には、三つの一般入賞口１１３が設けられている。
【００６３】
また、遊技領域３７には、その最下部に、流下していずれの入賞口や入賞装置にも入賞しなかった遊技球を「死球」として遊技領域３７から排出するアウト口１１４が設けられている。なお、図示は省略するが、遊技領域３７には、対応する遊技盤ベース８０の前面に多数の障害釘が所定のゲージ配列をなして設けられており、遊技球の動きを楽しませられるようになっている。
【００６４】
センター役物１００には、その枠状に形成された下枠部分の上面に、遊技者側から最も奥に配置された第一ステージ１２０と、第一ステージ１２０よりも下流側に配置された第二ステージ１２１とを有している。これら第一ステージ１２０及び第二ステージ１２１は、左右方向に延び中央部が低くなった湾曲状に形成されている。一方、センター役物１００の左側外周には、第一ステージ１２０へ遊技球を誘導（ワープ）させる第一ワープ入口１２２と、第一ワープ入口１２２の下側に配置され第二ステージ１２１へ遊技球をワープさせる第二ワープ入口１２３とが備えられている。
【００６５】
なお、第一ワープ入口１２２及び第二ワープ入口１２３の前には、図示しない障害釘が配置されており、その障害釘によって、第一ワープ入口１２２や第二ワープ入口１２３に遊技球が入球する確率を適宜変更できるようになっている。
【００６６】
センター役物１００における第一ステージ１２０の略中央部には、第二始動口１２４が開口している。なお、第二始動口１２４に入賞した遊技球は、遊技盤５の背後に連通する排出路（図示せず）を通って、遊技盤５の背後に排出される。
【００６７】
また、第二ステージ１２１の左右方向の略中央部には、開口部１０５に連通する第一始動誘導口１２５が形成されている。第一始動誘導口１２５に入球した遊技球は、開口部１０５から遊技盤５上に排出される。この開口部１０５は、第一始動口１０２の真上に開口しているので、遊技球が第一始動口１０２に入賞する期待感を非常に高められるようになっている。ただし、第一始動口１０２の真上には障害釘が配置（図示せず）されており、この釘によって第一始動口１０２への遊技球の入賞が阻害されることがある。
【００６８】
なお、センター役物１００には、第二ステージ１２１の前側且つ下方に、左右に延びる第三ステージ１２６が更に備えられている。
【００６９】
本例の遊技盤５には、前面枠ヒンジ機構３６が配置された側と同じ側（図中、左側）の側辺に取付固定されたガイド部材１５０を備えている。このガイド部材１５０は、遊技盤５における前構成部材７９の側面に固定される固定部１５１と、固定部１５１と連続し遊技盤５（前構成部材７９）の前端面から所定量突出する弾性変形可能なガイド部１５２と、ガイド部１５２の前側端部から遊技領域３７が配置される側とは反対側（図中、左側）へ向かって延びる返し部１５３とを備えている。なお、本例では、ガイド部１５２の突出量が約１０ｍｍとされている。
【００７０】
このガイド部材１５０は、図５にも示すように、遊技盤５における上下方向の略中央部に取付固定されており、ゲート１１２、第一ワープ入口１２２及び第二ワープ入口１２３の左側にガイド部１５２が配置された状態となっている。
【００７１】
図６に示すように、ガイド部１５０における返し部１５３とは反対側の端部には、返し部１５３とは反対方向へ延びる突片部１５４を備えており、この突片部１５４を、前構成部材７９の側面に形成された溝部７９ａ（図５参照）に挿入することで、ガイド部材１５０を位置決めできるようになっている。
【００７２】
なお、本例では、このガイド部材１５０は、両面テープによって固定部１５１が前構成部材７９の側面に接着固定されている。また、本例では、ガイド部材１５０は、比較的軟質な樹脂により形成されており、弾性変形できるようになっている。なお、ガイド部材１５０を軟質樹脂の他に、ゴム、発泡樹脂、硬質樹脂等で形成しても良い。
【００７３】
次に、本例におけるガイド部材１５０の作用効果について説明する。パチンコ機１では、遊技盤５を本体枠３から脱着する際、本体枠３の側辺に前面部材としての前面枠４が前面枠ヒンジ機構３６によってヒンジ固定されているので、ヒンジ側では前面枠４が邪魔になり、本体枠３の遊技盤装着枠１２（本発明における開口部に相当）内に対して遊技盤５を前側から真直ぐ嵌め込むことができず、本体枠３に対して遊技盤５を斜めから挿入して遊技盤装着枠１２内に嵌め込むこととなる。
【００７４】
そのため、遊技盤５の交換時等において、遊技盤５を本体枠３に嵌め込む際に、本体枠３に対する遊技盤５の位置決めがし難く、作業性の悪いものとなっていた。また、遊技盤５を嵌め込む際に、遊技盤５の前面枠ヒンジ機構３６と近接する側（図中、左側）が本体枠３や前面枠４と当接し、遊技盤５や前面枠４等が破損する恐れがあった。しかしながら、本例では、ガイド部材１５０のガイド部１５２によって案内させて本体枠３に対する遊技盤５の位置決めを容易に行うことができ、遊技盤５の嵌め込み作業性を良くして、組立作業性を向上させることができるようになっている。また、本体枠３に遊技盤５を嵌め込む際に、まず初めにガイド部１５２が当接して弾性変形するので、その弾性変形により当接による衝撃を緩和させて遊技盤５や前面枠４等が破損するのを防止することができるようになっている。
【００７５】
一方、パチンコ機１では、前面枠４をヒンジ回転させる前面枠ヒンジ機構３６が、前面枠４の上下に同軸状に配置されており、一対の前面枠ヒンジ機構３６の間では、本体枠３に対して前面枠４が支持されていない状態となっている。そのため、一対の前面枠ヒンジ機構３６の間において、本体枠３と前面枠４との間にバールのような工具を差込んで抉ることで、前面枠４が撓んで本体枠３と前面枠４との間に隙間が形成され、その隙間から遊技領域３７内に金属線等の線材を差込んで、第一ワープ入口１２２や第二ワープ入口１２３の付近に配置された障害釘を曲げて、遊技球が第一ワープ入口１２２や第二ワープ入口１２３に入球し易くする不正行為が行われる問題がある。
【００７６】
しかしながら、遊技盤５の前面から所定量突出するガイド部材１５０のガイド部１５２を弾性変形可能としているので、前面枠４を閉める際に、前面枠４の後面にガイド部１５２が当接しても、ガイド部１５２が弾性変形して前面枠４を閉めることができると共に、一対の前面枠ヒンジ機構３６の間にバール等の工具を差込んで本体枠３と前面枠４との間に隙間を形成させようとしても、ガイド部１５２が弾性復元してその隙間を閉鎖し続けるので、隙間を介して不正行為が行われるのを防止することができるようになっている。
【００７７】
このように、本実施形態のパチンコ機１によると、遊技盤５を本体枠３の遊技盤装着枠１２内に嵌め込む際に、その挿入先端となる前面枠ヒンジ機構３６と近接する側の辺に固定されたガイド部材１５０にガイド部１５２が備えられているので、そのガイド部１５２に案内させて本体枠３に対する遊技盤５の位置決めを容易に行うことができ、遊技盤５の嵌め込み作業性を良くして、組立作業性を向上させることができる。
【００７８】
また、ガイド部材１５０のガイド部１５２を遊技盤５の前端面から突出させると共に弾性変形可能としており、本体枠３に遊技盤５を嵌め込む際に、遊技盤５が前面枠４と当接しても、まず初めにガイド部１５２が当接してガイド部１５２が弾性変形するので、ガイド部１５２により当接による衝撃を緩和させることができ、遊技盤５の嵌め込み作業時に、遊技盤５や前面枠４等が破損するのを防止することができる。従って、遊技盤５の嵌め込み作業時において、必要以上に慎重に作業しなくても良く、作業者にかかるプレッシャーを抑制して、組立作業性を向上させることができる。
【００７９】
更に、遊技盤５の前面から所定量突出するガイド部材１５０のガイド部１５２を弾性変形可能としているので、前面枠４を閉める際に、前面枠４の後面にガイド部１５２が当接しても、ガイド部１５２が弾性変形して前面枠を閉めることができると共に、一対の前面枠ヒンジ機構３６の間にバール等の工具を差込んで本体枠３と前面枠４との間に隙間を形成させようとしても、ガイド部１５２が弾性復元してその隙間を閉鎖し続けることができ、隙間を介して不正行為が行われるのを防止することができる。
【００８０】
また、ガイド部材１５０におけるガイド部１５２の前側端部に、遊技領域３７が配置される側とは反対側へ向かって延びる返し部１５３を備えているので、バール等の工具により抉られて本体枠３と前面枠４との間の隙間から金属線等の線材が挿入されても、ガイド部１５２先端の返し部１５３により線材が返されて、線材がガイド部１５２と前面枠４との間に到達するのを防ぐことができ、線材が遊技領域３７内へ侵入するのを防止することが可能となって、不正行為が行われるのを防止することができる。
【００８１】
更に、ガイド部材１５０におけるガイド部１５２の突出量を、約１０ｍｍとしているので、本体枠３に対して前面枠４を閉めた時に、ガイド部１５２の先端が前面枠４の後面と当接して弾性変形し、不正行為によって本体枠３と前面枠４との間に隙間が形成されてもガイド部１５２が弾性復元して隙間を閉鎖することが可能となり、不正行為が行われるのを防止することができると共に、ガイド部１５２によって前面枠４が閉まらなくなるのを防止することができる。
【００８２】
また、ガイド部材１５０を遊技盤５とは別部材としているので、既存の遊技盤５に対してガイド部材１５０を固定するだけで、遊技盤５にガイド部１５２を備えることができ、既存の遊技盤５（パチンコ機）にも上述した機能を備えさせて、同様の作用効果を奏させることができる。また、ガイド部材１５０は、遊技盤５よりも小さいので、ガイド部材１５０の成形にかかる成形型が比較的小型のものとなり、パチンコ機１の製造にかかるコストが増加するのを抑制することができる。また、ガイド部材１５０を固定する前工程では遊技盤５の前面からはガイド部１５２が突出しておらず、既存の生産ラインに遊技盤５を流すことができ、新たな生産ラインを必要としないので、これによっても、パチンコ機１の製造にかかるコストが増加するのを抑制することができる。
【００８３】
更に、ガイド部材１５０に、遊技盤５の側面に固定するための固定部１５１を備えるようにしているので、遊技盤５とは別部材とされたガイド部材１５０を、固定部１５１を介して遊技盤５に固定することができ、遊技盤５に上述した機能を有したガイド部１５２を簡単に備えさせて、同様の作用効果を奏した遊技機とすることができる。
【００８４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００８５】
すなわち、上記の実施形態では、遊技機としてパチンコ遊技機１を示したが、パチンコ機以外の遊技機、例えば、スロットマシーンや、パチンコ機とスロットマシーンとを融合させてなる遊技機等であっても本発明を適用することができる。
【００８６】
また、本実施形態では、ガイド部材１５０の固定部１５１を、遊技盤５における前構成部材７９の側面に、接着固定するものを示したが、これに限定するものではなく、例えば、固定部１５１を嵌合突起や嵌合爪とし、遊技盤５の側面に形成された嵌合孔に嵌合突起等を嵌合させてガイド部材１５０を固定するようにしても良く、これにより、ワンタッチで遊技盤５の側面にガイド部材１５０を固定することができ、組立作業性を向上させることができると共に、遊技盤５を分解する際に、容易にガイド部材１５０を取外すことができ、廃棄処分等にかかる手間を簡略化することができる。
【００８７】
更に、本実施形態では、遊技盤５の前面から突出するガイド部１５２の突出量を約１０ｍｍとしたものを示したが、これに限定するものではなく、ガイド部１５２の突出量を、３ｍｍ〜２０ｍｍの間、望ましくは、５ｍｍ〜１５ｍｍの間、更に望ましくは、７ｍｍ〜１２ｍｍの間、としても良く、この範囲内とすることで、上述した作用効果を確実に奏するものとすることができる。
【図面の簡単な説明】
【００８８】
【図１】本発明に係るパチンコ機の前側全体を示す正面図である。
【図２】パチンコ機を斜め左前方から示す斜視図である。
【図３】パチンコ機の外枠の一側に本体枠が開かれ、その本体枠の一側に更に前面枠が開かれた状態を示す斜視図である。
【図４】パチンコ機の本体枠と遊技盤とを分離して斜め右上前方から示す斜視図である。
【図５】遊技盤を左斜め前方から示す斜視図である。
【図６】（Ａ）は遊技盤に備えられるガイド部材を示す斜視図であり、（Ｂ）はガイド部材の平面図である。
【符号の説明】
【００８９】
１  パチンコ機
２  外枠
３  本体枠
４  前面枠（前面部材）
５  遊技盤
１２  遊技盤装着枠（開口部）
３６  前面枠ヒンジ機構（ヒンジ機構）
３７  遊技領域
７９  前構成部材
１５０  ガイド部材
１５１  固定部
１５２  ガイド部
１５３  返し部
１５４  突片部
【図１】
2008073340.tif 000003
【図２】
2008073340.tif 000004
【図３】
2008073340.tif 000005
【図４】
2008073340.tif 000006
【図５】
2008073340.tif 000007
【図６】
2008073340.tif 000008